(57)【要約】【課題】ユニークで斬新な演出をすることが可能であり、設置される遊技機の趣向性を向上させることが可能な遊技部材を提供する。【解決手段】パチンコ機は、遊技盤の盤面上に大型遊技部材が設置されており、その大型遊技部材の右上方には、所定のタイミングで発光可能な発光遊技部材２１が設置されている。発光遊技部材２１は、表面に金属を蒸着することによってハーフミラーが形成され、かつ、裏面に装飾が施されたレンズ部材２４と、そのレンズ部材２４に可視光を照射するＬＥＤ４５ａ，４５ｂとを有している。そして、通常時には単純な鏡面としか認識されないレンズ部材２４が、遊技者の予期しない所定のタイミングで発光して裏面の装飾を浮かび上がらせるようになっている。【選択図】図５
2013255754.tif 000002
【特許請求の範囲】
【請求項１】
所定の条件の充足により遊技媒体を払い出す遊技機において演出のために前面に設置される遊技部材であって、
表面に金属を蒸着することによってハーフミラーを形成してなる鏡面部材と、
その鏡面部材の裏面に対して可視光を照射する発光体と、
鏡面部材の金属蒸着面と発光体との間に配置される装飾体とを有することを特徴とする遊技部材。
【請求項２】
鏡面部材と発光体との間に光拡散フィルムが設置されていることを特徴とする請求項１に記載の遊技部材。
【請求項３】
装飾体が、鏡面部材の裏面に印刷された模様であることを特徴とする請求項１、または請求項２に記載の遊技部材。
【請求項４】
請求項１〜３のいずれかに記載された遊技部材が設置されていることを特徴とする遊技機。
【発明の詳細な説明】
【技術分野】
【０００１】
本発明は、パチンコ機やスロットマシン等の遊技機、および、その遊技機に設置される遊技部材に関するものである。
【背景技術】
【０００２】
従来のパチンコ機は、前面に、多数の障害釘、各種の入賞装置および大型の図柄表示装置を設置してなる遊技盤が設けられており、当該遊技盤の盤面、あるいは、遊技盤の周囲に、種々の色で点灯・点滅可能な遊技部材（発光遊技部材）が設置されている。そして、内部の制御装置による大当たり抽選の結果を図柄表示装置において表示する際等に、演出効果を発揮させて遊技の趣向性を高める目的で、その発光遊技部材を作動させる（発光させる）ようになっている。
【先行技術文献】
【特許文献】
【０００３】
【特許文献１】特開２００９−１１９２９２号公報
【発明の概要】
【発明が解決しようとする課題】
【０００４】
しかしながら、従来のパチンコ機に設置された発光遊技部材は、発光態様が単純であるため、遊技者の興味を十分に引きつけることができない。したがって、そのような遊技部材を設置した遊技機においては、短時間の内に遊技者の遊技意欲を減退させてしまう、という不具合がある。
【０００５】
本発明の目的は、上記従来の遊技機用の遊技部材の問題点を解消し、ユニークで斬新な演出をすることが可能であり、設置される遊技機の趣向性を向上させることが可能な遊技部材を提供することにある。また、ユニークで斬新な演出をすることが可能な遊技部材が設置されており、趣向性が高く、長期間に亘って遊技者の遊技意欲を高く保持することが可能な遊技機を提供することにある。
【課題を解決するための手段】
【０００６】
本発明の内、請求項１に記載された発明は、所定の条件の充足により遊技媒体（パチンコ球やコイン等）を払い出す遊技機において演出のために前面に設置される遊技部材であって、表面に金属を蒸着することによってハーフミラーを形成してなる鏡面部材と、その鏡面部材の裏面に対して可視光を照射する発光体と、鏡面部材の金属蒸着面と発光体との間に配置される装飾体（印刷による模様・画像の塗膜、装飾を施したフィルムの貼着による装飾体や、凹凸模様等）とを有することを特徴とするものである。
【０００７】
請求項２に記載された発明は、請求項１に記載された発明において、鏡面部材と発光体との間に、光拡散フィルムが設置されていることを特徴とするものである。
【０００８】
請求項３に記載された発明は、請求項１、または請求項２に記載された発明において、装飾体が、鏡面部材の裏面に印刷された模様であることを特徴とするものである。
【０００９】
請求項４に記載された発明は、請求項１〜３のいずれかに記載された遊技部材が設置されていることを特徴とする遊技機である。
【発明の効果】
【００１０】
請求項１に記載の遊技部材は、通常時には単純な鏡面としか認識されない鏡面部材が所定のタイミングで発光して装飾体を浮かび上がらせることができるので、演出の態様がユニークかつ斬新であるため、設置される遊技機の趣向性を著しく向上させることができる。
【００１１】
請求項２に記載の遊技部材は、光拡散フィルムによって発光体の光を十分に拡散させることができるため、発光体の光量が少ない場合でも、装飾体を明瞭に発光させることができる。
【００１２】
請求項３に記載の遊技部材は、装飾体が鏡面部材の裏面に印刷された模様であるので、装飾体を鏡面部材と別個に設けた場合に比べて、安価かつ容易に製造することができる。また、請求項３に記載の遊技部材によれば、発光体の発光により浮かび上がらせる装飾体を、より明瞭なものとすることができる。
【００１３】
請求項４に記載の遊技機は、ユニークで斬新な演出をすることが可能な遊技部材が設置されているため、趣向性が高く、長期間に亘って遊技者の遊技意欲を高く保持することができる。
【図面の簡単な説明】
【００１４】
【図１】パチンコ機の正面図である。
【図２】遊技盤の正面図である。
【図３】発光遊技部材の正面図である。
【図４】発光遊技部材の分解斜視図（前方から見た分解斜視図）である。
【図５】発光遊技部材の分解斜視図（後方から見た分解斜視図）である。
【図６】発光遊技部材の鉛直断面図（図１におけるＡ−Ａ線断面図）である。
【発明を実施するための形態】
【００１５】
＜遊技機の構成＞
以下、本発明に係る遊技部材および遊技機について、図面にしたがって詳細に説明する。図１は、本発明に係る遊技機の一種としてのパチンコ機を示したものであり、パチンコ機１は、周囲を覆う機枠２の片側縁に、前面枠３が、左端縁を中心として片開き自在に蝶着されている。当該前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。
【００１６】
また、前面枠３の中央よりやや上側には、遊技盤４が設置されており、その遊技盤４の前面には、透明なガラス板を嵌め込んだガラス扉１３が、左端縁を中心として片開き自在に蝶着されている（なお、図１においては、遊技盤４の盤面の記載が簡略化されている）。図２は、遊技盤４を示したものであり、遊技盤４の表面には、金属製で帯状のガイドレール８が円弧状に立設されており、当該ガイドレール８によって、略円形の遊技領域１０が区画された状態になっている。
【００１７】
遊技領域１０には、大型遊技部材１１が設置されており、その大型遊技部材１１の略中央には、液晶画面を有する図柄表示装置１９が設置されている。また、大型遊技部材１１の右側には、遊技球を通過可能なゲート９が設けられており、大型遊技部材１１の中央の下側（ステージの下側）には、電動役物ユニット１４が設けられている。当該電動役物ユニット１４には、始動入賞口１５と大入賞口１８とが上下に並べて設置されている。大入賞口１８は、内蔵された作動装置（図示せず）によって、横長な長方形の板状の扉部材を片開き（下端縁を軸として片開き）させることができるようになっている。さらに、図２の如く、遊技領域１０には、大型遊技部材１１や大入賞口１８の他に、各種の入賞装置、電飾ランプ、風車等が設置されているとともに、多数の障害釘（図示せず）が植設されている。そして、大型遊技部材１１の右上方（図柄表示装置１９の上方右隣り）には、所定のタイミングで発光可能な発光遊技部材２１が設置されている。
【００１８】
＜発光遊技部材の構成＞
図３〜図６は、発光遊技部材を示したものであり、発光遊技部材２１は、外側ケース部材２２、外周支持部材２３、鏡面部材（装飾体としての機能をも兼備した鏡面部材）であるレンズ部材２４、光拡散フィルム２５、固定部材２６、発光体であるＬＥＤ４５ａ〜４５ｄを備えた基板２７、ベース部材２８等によって構成されている。
【００１９】
外側ケース部材２２は、不透明な黒色の合成樹脂（たとえば、ポリエステル等）によって、扁平な円筒状の側周部の前側に扁平なドーナッツ状の装飾板を連設した形状に一体成形されている。当該側周部の外面には、大型遊技部材１１に設置する際に位置決めするための複数のリブ２９，２９・・が外方へ突出するように設けられている。また、側周部の内周面には、内部に設置する外周支持部２３を位置決めするための略半円柱状の複数のリブ３０，３０が内方へ突出するように設けられており、それらのリブ３０，３０の後端面には、ベース部材２８と螺着するためのネジ孔３１が穿設されている。さらに、外側ケース部材２２の側周部の内周面には、内部に設置される外周支持部材２３を支持するための一定幅の平板状で複数の支持壁３２，３２・・が、中心軸に対して平行に、かつ、内方へ突出するように設けられている。
【００２０】
また、外側ケース部材２２の装飾板の中央の部分には、“目”の形となるように穿設されて光照射孔３３が形成されている。さらに、装飾板の表面全体には、凹凸模様が形成されている。加えて、外側ケース部材２２の側周部および装飾板の外周面全体に、金色の塗装が施されている。
【００２１】
一方、外周支持部材２３は、無色透明な合成樹脂（たとえば、ポリカーボネート等）によって、中空の半球状に一体成形されており、中央に、円形の開口部５６が形成されている。そして、外周縁には、一定幅のフランジ体３４が外向きに突出するように設けられている。また、外周面には、外側ケース部材２２の内部に収納される際に位置決めされるための係合凹部３５，３５が設けられている。一方、側周部の内周面には、内部に設置するレンズ部材２４を位置決めするための略三角形の板状で複数のリブ３６，３６が内方へ突出するように設けられている。さらに、側周部の内周面には、後方から照射された（漏洩した）光を散乱させるための多数の凹溝（あるいは凸条）３７，３７・・が、中心から放射するように形成されている。加えて、周状の後端面の左右両端には、大小の円筒形状のボス３８，３９が立設されている。
【００２２】
また、レンズ部材２４は、無色透明な合成樹脂（たとえば、ポリカーボネート等）によって略一定厚みの凸レンズ状に形成されている。そして、外周縁には、一定幅のフランジ体４０が外向きに突出するように設けられている。当該フランジ体４０の上下の２箇所には、外周支持部材２３の内部に設置される際に位置決めされるための凹溝４１が形成されている。さらに、レンズ部材２４の後端面には、扁平な円筒状の周状嵌合突起４２が後方へ突出するように設けられている。
【００２３】
当該レンズ部材２４の表面には、アルミニウムが蒸着されており、レンズ部材２４の裏面には、透明な塗料（薄いグレーの塗料）のスクリーン印刷によって装飾模様（炎の図柄）が塗装されている（なお、後述するように、当該スクリーン印刷による塗膜が装飾体として機能する）。かかるレンズ部材２４は、ハーフミラーとして機能し、前方から見た場合に鏡面になっているとともに、後方からの光線（後述するＬＥＤによって照射された可視光線）を約５０％透過させることができるようになっている。
【００２４】
さらに、光拡散フィルム２５は、無色透明な合成樹脂（たとえば、ポリカーボネート等）によって一定厚みの円盤状に形成されており、表面には、背面から照射された光を拡散させるための幾何学的な形状を有する無数の凹凸が形成されている。
【００２５】
一方、固定部材２６は、黒色の不透明な合成樹脂（たとえば、ポリエステル等）によって、扁平な円筒状に形成されている。そして、前方側の部分は、薄肉状になっており、光拡散フィルム２５およびレンズ部材２４を設置するための周状段部４３が形成されている。また、外周面の上下２箇所には、外側ケース部材２２の内部に設置される際に位置決めされるための係合凹部４４，４４が設けられている。
【００２６】
また、基板２７は、黒色の不透明な合成樹脂（たとえば、ポリエステル等）によって、円盤状に形成されている。そして、表面の中央には、２つのＬＥＤ４５ａ，４５ｂが上下に並べて設置されており、表面の左右両端際には、それぞれ、ＬＥＤ４５ｃ，４５ｄが設置されている。なお、それらの左右のＬＥＤ４５ｃ，４５ｄは、それらを結ぶ直線が基板２７の中央を横切る水平線に対して所定の角度（反時計回りに約３０°）を成すように上下にずらして配置されている。さらに、基板２７の左右両端には、それぞれ、略半円状の切り欠き４６，４６が設けられており、それらの切り欠き４６，４６の上下には、それぞれ、大型の略半円形状の位置決め凹部４７，４７が形成されている。一方、基板２７の裏面の略中央には、表面のＬＥＤ４５ａ〜４５ｄを外部電源や基板等と接続させるためのコネクタ４８が設置されている。
【００２７】
さらに、ベース部材２８は、黒色の不透明な合成樹脂（たとえば、ポリエステル等）によって、円盤状に形成されている。そして、表面の外周際には、基板２７を冷却する目的で基板２７との間に所定の隙間を形成するための隙間形成壁４９が立設されている。また、表面の外周際には、扁平な半円筒状の位置決めリブ５０，５０が、中心に対して対称な位置で板面から前方へ突出するように立設されている、さらに、それらの位置決めリブ５０，５０の後端には、ベース部材２８を外側ケース部材２２と螺着するための螺着板５１，５１が、一部を側方へ突出させるように形成されており、それらの螺着板５１，５１には、ネジ孔５２が穿設されている。
【００２８】
加えて、ベース部材２８の板面の中央には、基板２７のコネクタ４８の配線を挿通させるための矩形の配線挿通５３孔が穿設されており、その配線挿通孔５３の周囲には、基板２７を効率的に冷却するための円形で複数の冷却孔５４，５４・・が穿設されている。加えて、ベース部材２８の裏面には、組み付けられた発光遊技部材２１を、大型遊技部材１１の背面に設けられた保護カバー（図示せず）に位置決めするための円筒状のリブ５５，５５が後方に突出するように設けられている。
【００２９】
発光遊技部材２１は、上記した外側ケース部材２２、外周支持部材２３、レンズ部材２４、光拡散フィルム２５、固定部材２６、基板２７、ベース部材２８を組み付けることによって一体的に構成されている。すなわち、光拡散フィルム２５が、裏面の周縁際を固定部材２６の周状段部４３に嵌め込んだ状態で、固定部材２６に設置されており、その固定部材の前方に、レンズ部材２４が、周状嵌合突起４２を周状段部４３に嵌め込んだ状態で組み付けられている。また、そのように一体的に組み付けられた光拡散フィルム２５、固定部材２６およびレンズ部材２４が、外周支持部材２３の内部に嵌め込まれており、レンズ部材２４の表面が、外周支持部材２３の開口部５６から露出した状態になっている。なお、外周支持部材２３の内部においては、リブ３６，３６が、レンズ部材２４の凹溝４１、および固定部材２６の位置決めリブ５０内に嵌め込まれており、レンズ部材２４および固定部材２６が、外周支持部材２３に対して所定の位相で回転しないように位置決めされた状態になっている。また、レンズ部材２４の周縁のフランジ体４０が、外周支持部材２３の裏面の開口部５６の内周縁際に当接した状態になっている。
【００３０】
さらに、上記の如く、内部に、光拡散フィルム２５、固定部材２６およびレンズ部材２４を嵌め込んだ外周支持部材２３が、外側ケース部材２２の内部に嵌め込まれている。外側ケース部材２２の内部においては、リブ３０，３０が、外周支持部材２３の係合凹部３５，３５に嵌め込まれており、外周支持部材２３が、外側ケース部材２２に対して所定の位相で回転しないように位置決めされた状態になっている。そして、外周支持部材２３の開口部５６から露出したレンズ部材２４の表面が、外側ケース部材２２の光照射孔３３から露出した状態になっている。
【００３１】
一方、ベース部材２８の前面には、基板２７が設置されており、基板２７のコネクタ４８に接続された配線がベース部材２８の配線挿通孔５３から外部に導出されている。さらに、基板２７の各位置決め凹部４７，４７にベース部材２８の各位置決めリブ５０，５０が嵌め込まれた状態になっている。そして、上記の如く内部に外周支持部材２３を嵌め込んだ外側ケース部材２２の背面に、基板２７を嵌め込んだベース部材２８が押し当てられ、当該ベース部材２８の螺着板５１，５１が、外側ケース部材２２のリブ３０，３０に螺着された状態になっている。
【００３２】
上記の如く、外側ケース部材２２の背面にベース部材２８が螺着されることによって、外周支持部材２３、および、その内部に嵌め込まれた拡散フィルム２５、固定部材２６およびレンズ部材２４が、外側ケース部材２２とベース部材２８とに挟み込まれた状態になっている（図６参照）。また、固定部材２６の後端縁（周縁）が、基板２７の中心際のＬＥＤ４５ａ，４５ｂと外側のＬＥＤ４５ｃ，４５ｄとの間に押し当てられた状態になっている（図６参照）。
【００３３】
＜遊技機の作動内容＞
上記の如く構成されたパチンコ機１においては、発射ハンドル７の回動操作によって発射装置（図示せず）から遊技球が発射され、発射された遊技球が始動入賞口１５に入賞した場合に、内部に設置された制御装置（図示せず）において大当たり抽選（乱数の選択）が実行され、大当たり抽選の結果、「大当たり」になった場合には、「大当たり状態」が生起する。また、遊技球が始動入賞口１５に入賞する毎に、上記大当たり抽選と同時に、図柄の変動態様の抽選が実行され、制御装置の記憶手段に記憶された複数の変動態様の中から一つの変動態様が選択され、当該変動態様に基づいて、図柄表示装置１９において所定の時間だけ図柄の変動表示を実行する。そして、当該変動表示の後に「大当たり図柄」あるいは「はずれ図柄」を表示することによって大当たり抽選の結果を表示する。「大当たり」によって生起する「大当たり状態」においては、大入賞口１８の扉部材が所定回数だけ断続的に開成する。したがって、遊技者は、「大当たり」が発生した場合には、多くの遊技球を大入賞口１８に入賞させることが可能となり、多くの賞品球を獲得することができる。
【００３４】
＜発光遊技部材の作動内容＞
パチンコ機１においては、上記の如く、遊技球が始動入賞口１５に入賞する毎に、図柄の変動態様の抽選を実行するが、所定の変動態様（たとえば、所謂、リーチ変動態様）が選択された場合には、所定のタイミングで、発光遊技部材２１が発光演出動作を実行し、ＬＥＤ４５ａ，４５ｂが所定のタイミングで点滅する（赤色に点滅する）。そのため、非点滅時には単なる鏡面にしか見えないレンズ部材２４の表面が、所定のタイミングで赤色に発光し、裏面に印刷された模様（たとえば、炎の形の模様）が明瞭に浮かび上がって見えるようになる。
【００３５】
また、リーチ変動態様の中の特定のリーチ変動態様で、図柄表示装置１９において図柄の変動表示が実行される場合には、ＬＥＤ４５ａ，４５ｂが、所定のタイミングで、非特定のリーチ変動態様で図柄の変動表示が実行される場合とは異なる色（青色）で点滅する。そのため、レンズ部材２４の表面が、所定のタイミングで青色に発光し、レンズ部材２４の裏面に印刷された模様が明瞭に浮かび上がって見えるようになる。
【００３６】
一方、「大当たり状態」等の所定のタイミングで、ＬＥＤ４５ｃ，４５ｄが、ＬＥＤ４５ａ，４５ｂと異なる色（白色）で点滅し、レンズ部材２４の左右側方のみが白色に発光する。
【００３７】
＜遊技部材および遊技機の効果＞
発光遊技部材２１は、上記の如く、表面に金属を蒸着することによってハーフミラーを形成してなる鏡面部材であるレンズ部材２４と、そのレンズ部材２４の裏面に対して可視光を照射する発光体であるＬＥＤ４５ａ，４５ｂと、レンズ部材２４の金属蒸着面とＬＥＤ４５ａ，４５ｂとの間に配置される装飾体（スクリーン印刷による模様の塗膜）とを有するものであり、通常時には単純な鏡面としか認識されないレンズ部材２４が遊技者の予期しない所定のタイミングで発光して装飾体を浮かび上がらせることができるので、発光演出の態様がユニークかつ斬新であるため、パチンコ機１の趣向性を著しく向上させることができる。
【００３８】
また、発光遊技部材２１は、ＬＥＤ４５ａ〜４５ｄを設置した基板２７とレンズ部材２４との間に、光拡散フィルム２５が設置されており、光源であるＬＥＤ４５ａ〜４５ｄの光を十分に拡散させることができるため、ＬＥＤ４５ａ〜４５ｄの光量が少ない場合でも、レンズ部材２４を明瞭に発光させることができる。
【００３９】
さらに、発光遊技部材２１は、装飾体がレンズ部材２４の裏面に印刷された模様であるため、装飾体をレンズ部材２４と別個に設けた場合に比べて、安価かつ容易に製造することができる。また、発光遊技部材２１によれば、ＬＥＤ４５ａ，４５ｂの発光により浮かび上がらせる装飾体（スクリーン印刷による模様の塗膜）を、より明瞭なものとすることができる。
【００４０】
加えて、発光遊技部材２１は、ＬＥＤ４５ａ，４５ｂからレンズ部材２４までの光路を遮蔽する機能を有する固定部材２６が設けられており、レンズ部材２４を発光させるための光が、レンズ部材２４の表面以外の部分へ多く漏洩しないので、レンズ部材２４の表面とその他の部分とを明確に区分して発光させることができる。
【００４１】
一方、パチンコ機１は、発光遊技部材２１が設置されており、当該発光遊技部材２１の発光態様が斬新でユニークであるので、長期間に亘って遊技者の遊技意欲を高く保持することができる。
【００４２】
＜遊技部材および遊技機の変更例＞
本発明に係る遊技部材の構成は、上記実施形態の態様に何ら限定されるものではなく、装飾体、発光体、装飾体等の形状、構造、材質等の構成を、本発明の趣旨を逸脱しない範囲で適宜変更することができる。また、本発明に係る遊技機の構成も、上記実施形態の態様に何ら限定されるものではなく、機枠、前面枠、遊技盤、供給皿、貯留皿、発射ハンドル、図柄表示装置、入賞装置、電動役物ユニット、大型遊技部材等の形状、構造、材質等の構成を、本発明の趣旨を逸脱しない範囲で適宜変更することができる。
【００４３】
たとえば、本発明に係る遊技部材は、全体を“目玉”の形状にモディファイしたものに限定されず、他の形状としたものに変更することができる。また、装飾体は、上記実施形態の如く、鏡面部材（レンズ部材）の裏面にスクリーン印刷された模様に限定されず、鏡面部材の裏面に凹凸模様を刻設したり、鏡面部材の裏面に装飾を施したフィルムを貼着することによって装飾体を構成することも可能である。加えて、装飾体は、上記実施形態の如く、鏡面部材の裏面に直接的に設けられたものに限定されず、鏡面部材と別個に設けることも可能である。たとえば、遊技部材は、装飾体として機能する模様や画像を付した透明板を、鏡面部材（レンズ部材）と発光体（ＬＥＤ）との間に設置し、発光体の発光により当該透明板上の模様や画像を前方に投影するように構成することも可能である。
【００４４】
一方、本発明に係る遊技機は、上記実施形態の如く、図柄表示装置において所定の変動態様で図柄を変動表示させる場合に、遊技部材を点灯・点滅させるものに限定されず、遊技部材を作動させるタイミングを必要に応じて適宜変更することができる。加えて、本発明に係る遊技部材が設置される遊技機は、上記実施形態の如きパチンコ機に限定されず、スロットマシン等の他の遊技機に変更することも可能である。
【符号の説明】
【００４５】
１・・パチンコ機（遊技機）
２１・・発光遊技部材（遊技部材）
２４・・レンズ部材（鏡面部材）
２５・・光拡散フィルム
４５ａ〜４５ｄ・・ＬＥＤ（発光体）
【図１】
2013255754.tif 000003
【図２】
2013255754.tif 000004
【図３】
2013255754.tif 000005
【図４】
2013255754.tif 000006
【図５】
2013255754.tif 000007
【図６】
2013255754.tif 000008